(57)【要約】【課題】シャッターカーテンとの接触による騒音や、シャッターカーテンの汚れ付着、傷つきを抑止できる巻取調整機構を備えたシャッター装置を得る。【解決手段】閉鎖状態におけるシャッターカーテン５の上部に一端が固定されるベルト６３と、ベルト６３の他端が固定されるベルト巻取軸６５と、ベルト巻取軸６５を巻き取り回転方向に付勢する付勢手段６７と、ベルト巻取軸６５を開口部３の上部に回動自在に支持固定する平行ブラケット６９と、平行ブラケット６９に対してベルト巻取軸６５の軸線に直交する方向で固定され、ベルト巻取軸６５とシャッターカーテン５との間のベルト６３が掛け渡されるベルトガイド用ブラケット７１とを備え、ベルトガイド用ブラケット７１に、両側板のシャッターカーテン対向端面からシャッターカーテン近接方向に突出する汚損防止手段８５を設けた。【選択図】      図１
2008014034.tif 000002
【特許請求の範囲】
【請求項１】
開口部の周縁部に設けられたシャッターカーテンの巻き太りを規制する巻取調整機構を備えたシャッター装置であって、
前記巻取調整機構は、
閉鎖状態におけるシャッターカーテンに一端が固定されるベルトと、
シャッターカーテンを巻き取るシャフトと同じ軸方向で回動自在に配置され前記ベルトの他端が固定されるベルト巻取軸と、
該ベルト巻取軸に付設され該ベルト巻取軸を巻き取り回転方向に付勢することで前記ベルトに張力を付与する付勢手段と、
両側板が前記シャッターカーテンに向かって起立する断面略コ字状に形成され、前記ベルト巻取軸と前記シャッターカーテンとの間の前記ベルトが掛け渡されるベルトガイド用ブラケットと、
を備えるとともに、
前記ベルトガイド用ブラケットには、前記両側板のシャッターカーテン対向端面からシャッターカーテン近接方向に突出する汚損防止手段が設けられていることを特徴とするシャッター装置。
【請求項２】
前記汚損防止手段が、少なくとも前記両側板の一方に、前記シャフトと同方向の軸で回動自在に支持され、かつ外周円の少なくとも一部分を前記シャッターカーテン対向端面から突出させたローラであることを特徴とする請求項１記載のシャッター装置。
【請求項３】
前記汚損防止手段が、少なくとも前記両側板の一方に設けられ、前記シャッターカーテン対向端面から突出した低摩擦摺接部材であることを特徴とする請求項１記載のシャッター装置。
【請求項４】
前記汚損防止手段を前記シャッターカーテンに接近離反する方向に変位させる緩衝手段が、該汚損防止手段と前記ベルトガイド用ブラケットとの間に亘って設けられたことを特徴とする請求項１又は２又は３記載のシャッター装置。
【発明の詳細な説明】
【技術分野】
【０００１】
本発明は、開閉するシャッターカーテンの巻き太りを規制する巻取調整機構を備えたシャッター装置に関し、特にシャッターカーテンと巻取調整機構との接触による汚れの付着、傷つき、騒音を防止する改良技術に関する。
【背景技術】
【０００２】
従来、開口部を開閉するシャッター装置は、左右横方向に長い短冊板状の複数の細板であるスラットを、上下方向に連結して所謂シャッターカーテンを形成し、このシャッターカーテンの上端を開口部の上部に設けた巻取機構によって巻き取り・巻き戻すことにより開口部を開閉していた。近年、この種のシャッター装置では、一層の開閉高速性、静粛性の要請があった。ところが、従来のシャッター装置は、スラット同士を接触させながらシャッターカーテンを巻き取っていたため、開閉速度を高速化すると騒音が発生するとともに、摩擦傷が多く発生したり磨耗の進行度合が激しくなる等の問題があり、これらの問題が高速化の障害になっていた。
【０００３】
これらの課題を解消し、静粛かつ高速な巻き取りを可能としたロールアップ式ゲートが下記特許文献１に開示されている。このロールアップ式ゲートは、静粛性、高速開閉を実現するための種々の工夫が凝らされている。例えばスラットの長手方向両端には略半月形状のスラット端部品が取付けられ、上下に隣接するスラット端部品同士が連結され、かつスラット端部品の厚みはスラットの厚みより厚く設定されている。シャッターカーテンは、巻き取り時、この両端のスラット端部品が巻き取られ、シャッターカーテンの両側で巻回されて行くことで、スラット端部品によってスラットの両端のみが支持されて巻かれる。このとき、スラットは、スラット端部品よりも薄厚であるので、巻回状態においても相互に接触することがなく、また、開閉方向に隣接するスラット同士も直接的には接触しないようにシール材を間に設けて離間しており、磨耗や騒音を抑えながらに高速な巻取りが可能となる。
【０００４】
ところで、上記したロールアップ式ゲートでは、スラットの両端のみが支持されて巻かれるため、特に高速での巻き取り時に、シャッターカーテンの幅方向中央部が遠心力によってたる状に膨らむ巻き太りを発生することがある。このような巻き太りが発生すれば、シャッターカーテンの側縁部がガイドレールから抜け出てしまったり、膨らみによって突出したシャッターカーテンの幅方向中央部が、収納部の内壁面に当り、損傷するおそれがあり、さらには、スラット同士の嵌め合い部分に設けられているシール材が外れてしまうおそれもあった。
【０００５】
そこで、上記のロールアップ式ゲートでは、シャフトに巻回されるシャッターカーテンの巻き太りを抑止する図７に示すテンション装置１０１が設けられている。テンション装置１０１は、閉鎖状態における図示しないシャッターカーテンの上部に一端１０３ａが固定されるベルト１０３と、シャッターカーテンを巻き取る図示しないシャフトと同方向で開口部の上部に回動自在に配置されベルト１０３の他端１０３ｂが固定されるベルト巻取軸１０５と、ベルト巻取軸１０５に付設されベルト巻取軸１０５を回転方向に付勢することでベルト１０３に張力を付与する付勢手段であるコイルバネ１０７と、ベルト巻取軸１０５を開口部の上部に回動自在に支持固定するブラケット１０９とを備えてなる。ブラケット１０９は、水平ブラケット部１０９ａと、水平ブラケット１０９に対し直交する方向で連結された垂直ブラケット部１０９ｂとによってＬ字状に形成される。ブラケット１０９は、開口部の上部に固定され、垂直ブラケット部１０９ｂに設けられたベルトガイドローラ１１１に、ベルト巻取軸１０５とシャッターカーテンとの間のベルト１０３が掛け渡され、ベルト１０３の張架方向を転換させている。ベルト１０３は、ベルト１０３の張力が弛んでベルト巻取軸１０５がコイルバネ１０７によって付勢される方向へ回転するとベルト巻取軸１０５に巻き取られ、ベルト１０３がベルトの一端１０３ａ側へ引っ張られてベルト巻取軸１０５がコイルバネ１０７によって付勢される方向と逆方向に回転するとベルト巻取軸１０５から繰り出される。
【０００６】
このテンション装置１０１を備えることで、ロールアップ式ゲートは、シャッターカーテンの巻き取り／巻き戻し時に、ベルト１０３も一緒にシャッターカーテンの幅方向中央部分で巻き取り／巻き戻しされる。これにより、巻回されるシャッターカーテンの中央部分に、ベルト３の張力による巻き締め方向の力を作用させ、シャッターカーテンの巻き太りを抑止していた。
【特許文献１】特表２００３−５２７５１３号公報
【発明の開示】
【発明が解決しようとする課題】
【０００７】
シャッター装置は、建物躯体の開口部に取り付けられる際、一般的に可能な限り占有スペースの小さくなることが好ましい。特に、巻取機構を収納する収納部の前面から開口部両側に固定されるシャッターカーテンガイド用のガイドレールまでの寸法は、建物意匠などからの要望から小さく抑えなければならない要請が多い。
この収納部前面の延長面とガイドレール前部の延長面とに挟まれる空間には、上記の巻取調整機構が配置されている。巻取調整機構にはベルト巻取軸１０５とシャッターカーテンとの間のベルト１０３を掛け渡すベルトガイドローラ１１１が設けられ、ベルトガイドローラ１１１は垂直ブラケット部１０９ｂの両側板１０９ｂａ，１０９ｂｂ間に回動自在に支持されている。巻取調整機構は、上記のように、巻回されるシャッターカーテンの中央部分に、ベルト３の張力による巻き締め方向の力を作用させ、シャッターカーテンの巻き太りを抑止するが、例えば風の吹き付け等により、巻き取り中のシャッターカーテンが厚み方向に変動し、垂直ブラケット部１０９ｂに接近する方向に変位した場合には、シャッターカーテンが、巻取調整機構の近接部位である両側板１０９ｂａ，１０９ｂｂの先端縁に接触する虞があった。
【０００８】
そのため、上記のようなコンパクト化の要請がなくてシャッターカーテンと垂直ブラケット部１０９ｂとの間隔を大きく確保できる場合は良いが、一般的には上記のようにコンパクト化の要請から、シャッターカーテンと垂直ブラケット部１０９ｂとを近接配置することが多く、接触による騒音や、汚れの付着、傷つきなどの発生する虞があった。
一方で、シャッターカーテンとの接触を回避するため、垂直ブラケット部１０９ｂの両側板１０９ｂａ，１０９ｂｂを低く設計変更することも考えられるが、両側板１０９ｂａ，１０９ｂｂで支持されるベルトガイドローラ１１１は、コイルバネ１０７で張力付与されたベルト１０３を巻き取るため、そのような設計変更は強度低下の観点から望ましくなかった。
【０００９】
本発明は上記状況に鑑みてなされたもので、収納部のコンパクト化を維持しつつ、シャッターカーテンと垂直ブラケット部との接触による騒音や、シャッターカーテンの汚れの付着、傷つきを抑止できる巻取調整機構を備えたシャッター装置を得ることにある。
【課題を解決するための手段】
【００１０】
次に、上記の課題を解決するための手段を、実施の形態に対応する図面を参照して説明する。
本発明の請求項１記載のシャッター装置は、開口部３の周縁部に設けられたシャッターカーテン５の巻き太りを規制する巻取調整機構６１を備えたシャッター装置１００であって、
前記巻取調整機構６１は、
閉鎖状態におけるシャッターカーテン５に一端が固定されるベルト６３と、
シャッターカーテン５を巻き取るシャフト２３と同じ軸方向で回動自在に配置され前記ベルト６３の他端が固定されるベルト巻取軸６５と、
該ベルト巻取軸６５に付設され該ベルト巻取軸６５を巻き取り回転方向に付勢することで前記ベルト６３に張力を付与する付勢手段６７と、
両側板７９，７９が前記シャッターカーテン５に向かって起立する断面略コ字状に形成され、前記ベルト巻取軸６５と前記シャッターカーテン５との間の前記ベルト２３が掛け渡されるベルトガイド用ブラケット７１と、
を備えるとともに、
前記ベルトガイド用ブラケット７１には、前記両側板７９，７９のシャッターカーテン対向端面７９ａからシャッターカーテン近接方向に突出する汚損防止手段８５が設けられていることを特徴とする。
【００１１】
このシャッター装置では、シャッターカーテン５の高速巻き取り時、例えば風の吹き付け等により、巻き取り中のシャッターカーテン５が厚み方向に変動し、ベルトガイド用ブラケット７１に接近する方向に変位しても、シャッターカーテン５が汚損防止手段８５に接触することによってそれ以上の変位が規制され、両側板７９，７９との接触が阻止される。
【００１２】
請求項２記載のシャッター装置は、前記汚損防止手段８５が、少なくとも前記両側板７９，７９の一方に、前記シャフト２３と同方向の軸９１で回動自在に支持され、かつ外周円の少なくとも一部分を前記シャッターカーテン対向端面７９ａから突出させたローラ８９であることを特徴とする。
【００１３】
このシャッター装置では、シャッターカーテン５の高速巻き取り時、例えば風の吹き付け等により、巻き取り中のシャッターカーテン５が厚み方向に変動し、ベルトガイド用ブラケット７１に接近する方向に変位すると、ローラ８９に当接し、シャッターカーテン５の移動に伴ってローラ８９が回転する。
【００１４】
請求項３記載のシャッター装置は、前記汚損防止手段が、少なくとも前記両側板７９，７９の一方に設けられ、前記シャッターカーテン対向端面７９ａ，７９ａから突出した低摩擦摺接部材であることを特徴とする。
【００１５】
このシャッター装置では、シャッターカーテン５の高速巻き取り時、例えば風の吹き付け等により、巻き取り中のシャッターカーテン５が厚み方向に変動し、ベルトガイド用ブラケット７１に接近する方向に変位すると、低摩擦摺接部材に当接するが、低摩擦摺接部材の滑り性により摩擦が大幅に低減される。
【００１６】
請求項４記載のシャッター装置は、前記汚損防止手段８５を前記シャッターカーテン５に接近離反する方向に変位させる緩衝手段が、該汚損防止手段８５と前記ベルトガイド用ブラケット７１との間に亘って設けられたことを特徴とする。
【００１７】
このシャッター装置では、シャッターカーテン５の高速巻き取り時、例えば風の吹き付け等により、巻き取り中のシャッターカーテン５が厚み方向に変動し、シャッターカーテン５が汚損防止手段８５へ衝接する際の衝撃が緩和される。
【発明の効果】
【００１８】
本発明に係る請求項１記載のシャッター装置によれば、巻取調整機構のベルトガイド用ブラケットに、両側板のシャッターカーテン対向端面からシャッターカーテン近接方向に突出する汚損防止手段を設けたので、シャッターカーテンの高速巻き取り時、巻き取り中のシャッターカーテンが厚み方向に変動し、ベルトガイド用ブラケットに接近する方向に変位した場合であっても、シャッターカーテンが汚損防止手段に接触することによってそれ以上の変位が規制され、両側板との接触が阻止される。この結果、収納部のコンパクト化を維持しつつ、シャッターカーテンとベルトガイド用ブラケットとの接触による騒音や、シャッターカーテンの汚れ付着、及び傷つきを抑止できる。
【００１９】
請求項２記載のシャッター装置によれば、汚損防止手段が、シャフトと同方向の軸で回動自在に支持され、かつ外周円の少なくとも一部分をシャッターカーテン対向端面から突出させたローラであるので、シャッターカーテンの高速巻き取り時、巻き取り中のシャッターカーテンが厚み方向に変動し、ベルトガイド用ブラケットに接近する方向に変位すると、ローラに当接し、シャッターカーテンの移動に伴ってローラが回転する。これにより、シャッターカーテンがブラケットに摺接することによる擦れ（摩擦）がなくなり、騒音や汚れの付着、傷つきを防止できる。
【００２０】
請求項３記載のシャッター装置によれば、汚損防止手段が、シャッターカーテン対向端面から突出した低摩擦摺接部材であるので、シャッターカーテンの高速巻き取り時、巻き取り中のシャッターカーテンが厚み方向に変動し、ベルトガイド用ブラケットに接近する方向に変位すると、低摩擦摺接部材に当接するが、低摩擦摺接部材の滑り性により摩擦が大幅に低減され、騒音や汚れの付着、傷つきを防止できる。
【００２１】
請求項４記載のシャッター装置によれば、汚損防止手段をシャッターカーテンに接近離反する方向に変位させる緩衝手段が、汚損防止手段とベルトガイド用ブラケットとの間に亘って設けられたので、シャッターカーテンの高速巻き取り時、巻き取り中のシャッターカーテンが厚み方向に変動し、シャッターカーテンが汚損防止手段へ衝接する際の衝撃が緩和され、騒音や、汚れの付着、傷つきを一層生じ難くできる。
【発明を実施するための最良の形態】
【００２２】
以下、本発明に係るシャッター装置の好適な実施の形態を図面を参照して詳細に説明する。
図１は本発明に係るシャッター装置の概略の構成を表す正面図、図２は図１に示した巻取機構の拡大側面図、図３は図２に示した巻取調整機構の拡大斜視図、図４は図２に示した巻取調整機構の拡大正面図、図５は巻取調整機構の作用を説明する側面図、図６は汚損防止手段の変形例を表すローラの斜視図である。
【００２３】
先ず、本実施の形態による巻取調整機構の備えられるシャッター装置１００の基本的な構成について説明する。躯体側である建物の壁１には開口部３が設けられている。壁１の屋内側面の開口上方には巻取機構４を収納する収納部７が取付けられている。巻取機構４は、開閉体であるシャッターカーテン５を巻き取る。収納部７は、例えばチャンネル材からなる枠体９によって直方体状に形成され、各面に図示しない外装パネルが取り付けられている。枠体９は、開口部３の間口方向左右の各側部に、壁１に対し垂直に延在する図２に示す上枠１１と、下枠１３とを有している。
【００２４】
上枠１１と下枠１３との間には、矩形板状の可動板１６が配置されている。可動板１６の下部には、下枠１３の上面を転動する一対の転動ローラ対１７，１７が、下枠１３の長手方向に離間されて２組配設されている。このうち、例えば１組の転動ローラ対１７の軸には結合板１９が取り付けられ、結合板１９の下端には転動ローラ対１７とで下枠１３を挟持する下部ローラ２１が回動自在に取り付けられている。つまり、可動板１６は、下枠１３を転動ローラ対１７と下部ローラ２１とによって上下から挟持しながら、下枠の延在方向である壁１に対し垂直な方向に移動自在に設けられている。
【００２５】
この可動板１６には、壁１に平行かつ水平方向に延在するシャフト２３の両端が回動自在に支持されている。シャフト２３の一端には減速装置であるギヤボックス２５を介して、開閉機（駆動モータ）２７が接続されている。開閉機２７、ギヤボックス２５は、可動板１６に支持固定される。従って、開閉機２７が駆動されると、その回転がギヤボックス２５により減速され、シャフト２３が正転・逆転方向へ回転駆動されるようになっている。シャフト２３の両端には、シャッターカーテン５を巻回する巻取板２９，２９が固設されている。
【００２６】
開口部３の間口方向両側には、収納部７を固定支持する一対のサイドフレーム３０，３０が建物躯体に溶接固定される。それぞれのサイドフレーム３０，３０には、シャッターカーテン５をガイドするためのガイドレール３１が取付けられている。それぞれの巻取板２９，２９は、ガイドレール３１の延長線上の上方に位置する。巻取板２９，２９は、外円周の一部に、半径方向に高低差を形成した段部３３を有している。この段部３３の高さはシャッターカーテン５を構成する後述のスラット端部品５ｂの厚さと略同等に設定されている。
【００２７】
巻取板２９，２９の段部３３には、シャッターカーテン５の上端が接続固定部材３２を介して連結される。シャッターカーテン５は、開閉機２７によりシャフト２３と共に正転・逆転方向に回転駆動される巻取板２９，２９に渦巻き状に巻き取られて開口部３を開放し、また、巻取板２９から繰り出されることで開口部３を閉鎖する。
【００２８】
巻取板２９，２９の外方となるシャフト２３の両端には、小スプロケット３４が固設されている。また、可動板１６には、小スプロケット３４の下方に大スプロケット４１が回動自在に設けられ、この大スプロケット４１と小スプロケット３４との間にはチェーン３６が掛け渡されている。大スプロケット４１を可動板１６に回動自在に支持した回動軸４５には、図示しない移動用スプロケットが固設される。また、可動板１６には、移動用スプロケットに対し離間して従動スプロケット４９が回動自在に設けられている。この移動用スプロケットと従動スプロケット４９との間には移動用チェーン５１が掛け渡され、移動用チェーン５１は一部分が下枠１３に固定されている。
【００２９】
従って、開閉機２７が駆動され、ギヤボックス２５を介してシャフト２３が回転すると、チェーン３６を介して大スプロケット４１が回転し、大スプロケット４１の回転により移動用スプロケットが回転される。これにより、一部分が固定状態にある移動用チェーン５１上を、移動用スプロケットが転動しながら移動することとなり、これに伴って可動板１６が下枠１３の延在方向に往復移動されるようになっている。
【００３０】
シャフト２３が例えば巻き取り方向に回転されると、巻取板２９，２９にシャッターカーテン５が巻き取られ、シャッターカーテン５の外径が大きくなる。すなわち、シャフト２３の一回転によって、シャッターカーテン５の略厚み分外径が増加する。シャッターカーテン５は、外径が増加した分、外径位置がガイドレール３１の呑み込み部３１ａと一致するように、小スプロケット３４と大スプロケット４１との歯数比が所定の値に設定されている。つまり、外半径の増加分だけ可動板１６、すなわち、シャフト２３が移動されるようになっている。
【００３１】
このように、シャッター装置１００は、シャフト２３を移動させる軸芯移動機構を備えているので、ガイドレール３１の呑み込み部３１ａから巻取板２９，２９により巻き取られる位置までシャッターカーテン５を常に略垂直に昇降させ、高速な開閉を可能にしている。また、巻取板２９，２９は、シャッターカーテン５を構成する後述のスラット端部品５ｂのみを巻き取り、シャッターカーテン５を左右両縁のみで巻き取る。従って、スラット５ａはシャッターカーテン５の厚み方向においてスラット端部品５ｂよりも薄厚であるので、スラット５ａ同士が触れ合うことがなく、スラット５ａ表裏面への接触傷などが発生しない。また、合成樹脂製のスラット端部品５ｂが巻取板２９、２９に巻き取り・巻き戻されるので、その接触音などが大きくならず、特にスラット端部品５ｂの背面側に緩衝層となる軟質な樹脂を一体となるように設けたことから、開閉時の接触音の低減化が図れ、動作音の抑制された開閉動作が可能となっている。
【００３２】
シャッター装置１００は、この高速な開閉を高信頼性の元に実現させるための種々の補機を備えている。例えばシャフト２３の端部には、シャフト回転時の回転を付勢する図１に示すバランスウエイト５３が接続され、バランスウエイト５３はシャッターカーテン５の始動時や停止時の速度を調節するよう働く。バランスウエイト５３の重力は、シャッターカーテン５の最下部端に作用し、ベルト３９、上側案内プーリー４０、下側案内プーリー４２、滑車４４によって伝達される。ベルト３９の一方端はシャッターカーテン５の最下端部に固定され、他方端は両プーリ４０，４２に近接したサイドフレーム３０，３０側に固定される。
【００３３】
ベルト３９は、シャッターカーテン５の高さの約３／４の高さに固定された案内プーリー４０，４２の間を通り、シャッターカーテン５の最下端部に固定されている。つまり、シャッターカーテン５の最下端部が案内プーリー４２の下側にあるとき、バランスウエイト５３の重力は上方向に作用するので、シャッターカーテン５を開く過程では加速効果があり、他方、シャッターカーテン５を閉じる過程では減速効果がある。ベルト３９の固定点がプーリー４２の高さより上に来ると、ベルト３９の力は下方方向に作用し、その結果、シャッターカーテン５の開放が減速される。
【００３４】
また、巻き上げられていない部分のシャッターカーテン５の重量を補償するために、シャフト２３には巻付ドラム３８が固定され、この巻付ドラム３８にはベルト５５の一方端が取り付けられ、ベルト５５の一方端側が巻き付けられている。ベルト５５の他方端は、図示しない案内プーリーを経由してテンションスプリング５７に取り付けられている。巻付ドラム３８へのベルト５５の巻き方向は、シャッターカーテン５が巻き上げられているとき、ベルト５５が巻き解かれるようにセットされている。従って、シャッターカーテン５が巻き上げられると、巻き取られていないシャッターカーテン５の重量が減少するのと同時に、テンションスプリング５７が短くなり、スプリング張力もこれに伴って減少するようになっている。
【００３５】
シャッター装置１００では、スラット５ａの両端のみがスラット端部品５ｂを介して巻取板２９，２９によって支持されて巻かれ、また、スラット５ａ同士は連結状態でないことから、特に高速での巻き取り時に、シャッターカーテン５の幅方向中央部が遠心力によってたる状に膨らむ巻き太りが発生しやすくなる。このような巻き太りを抑止するためにシャッター装置１００には巻取調整機構としてのテンション装置６１が設けられている。
【００３６】
テンション装置６１は、ベルト６３と、ベルト巻取軸６５と、付勢手段としてのコイルバネ６７と、平行ブラケット６９と、垂直ブラケット（ベルトガイド用ブラケット）７１とを主要な構成部材として有している。
【００３７】
ベルト６３は、図２に示すように、閉鎖状態におけるシャッターカーテン５の上部に一端６３ａが固定される。この固定部分は、壁１の裏側に位置して開口部３でのシャッターカーテン表面には表出しない。ベルト巻取軸６５は、シャッターカーテン５を巻き取るシャフト２３と軸方向が同方向で開口部３の上部、好ましくはシャッターカーテン５が巻き取られた状態でもシャッター装置１００の他の構成部と互いに干渉の起きない位置に回動自在に配置される。このベルト巻取軸６５の外周には図３に示す止金具７３によってベルト６３の他端６３ｂが図２に示すようにして固定されており、さらにベルト６３の他端側の部分がベルト巻取軸６５に巻き取り，繰り出し可能に巻き付けられている。
【００３８】
コイルバネ６７は、ベルト巻取軸６５に外挿され、一端が平行ブラケット６９に固定されるとともに、他端がベルト巻取軸６５に固定され、ベルト巻取軸６５を回転方向に付勢し、ベルト６３に張力を付与している。これにより、テンション装置６１は、ベルト６３の巻き取り／繰り出し時にベルト６３に張力を発生させている。
【００３９】
平行ブラケット６９は、ベルト巻取軸６５を開口部３の上部に回動自在に支持固定している。固定は、平行ブラケット６９の長手方向両端に穿設された固定穴６９ａ，６９ａを介して壁１に固定、例えばネジやボルトなどで固定される。つまり、平行ブラケット６９は、収納部７とは別途に壁１に固定される。
【００４０】
ベルトガイド用ブラケット７１は、平行ブラケット６９と別体で形成され、かつ平行ブラケット６９に対し長手方向（図３の上下方向）が直交する方向で固定穴７１ａを介して開口部３の上部に固定される。ベルトガイド用ブラケット７１の下端には軸方向がシャッターカーテン５を巻き取るシャフト２３やベルト巻取軸６５と同方向の軸７５によって回動自在に支持されるベルトガイドローラ７７が設けられている。
【００４１】
このベルトガイド用ブラケット７１には、図２に示すように、ベルト巻取軸６５とシャッターカーテン５との間のベルト６３が掛け渡される。ベルト６３は、ベルトガイドローラ７７の下側を通り掛け渡される。従って、ベルト巻取軸６５から垂下したベルト６３は、ベルトガイドローラ７７に掛け渡されることで折り返され上向きに張架方向が転換され、シャッターカーテン５へと接続されている。
【００４２】
このシャッター装置１００では、建物の躯体に水平に取り付けられた巻取機構４のシャフト２３に対して、平行となるように先ず平行ブラケット６９が建物躯体に固定される。次いで、平行ブラケット６９と別体となったベルトガイド用ブラケット７１が、この平行ブラケット６９に対し垂下方向で直交する方向の開口部３の上部壁１に固定される。ベルト巻取軸６５とベルトガイドローラ７７との間では、図１に示すようにベルト６３が掛け渡されている。
【００４３】
このシャッター装置１００では、テンション装置６１が設けられることによって、シャッターカーテン５の側縁部がガイドレール３１から抜け出てしまったり、膨らみによって突出してしまうシャッターカーテン５の幅方向中央部が収納部７の内壁面に当ることで生じる汚れの付着や傷つきが防止され、また、膨らみによる巻き取り状態のスラット５ａの各層間での接触を防止し、さらには、スラット５ａ間に嵌め込まれて設けられているシール材の外れも防止される。
【００４４】
ベルトガイド用ブラケット７１は、平行ブラケット６９に対してベルト巻取軸６５の軸線に直交する方向で固定されるとともに、両側板７９，７９がシャッターカーテン５に向かって起立する断面略コ字状に形成される。両側板７９，７９の内側にはそれぞれガイド片８１，８１が設けられている。本実施の形態では、ガイド片８１，８１は左右一対で構成され、ベルトガイド用ブラケット７１におけるベルトガイドローラ７７にやや近接した位置となって、ベルト６３の両側縁に近接し、このベルト６３を左右から挟む位置で配設されている。このガイド片８１，８１の配設位置としては、ベルト巻取軸６５の軸線に対して直交する方向にベルト６３が案内されるように、すなわち図４に示すようにベルト巻取軸６５の軸線ＣＬに直交する仮想線Ｌをベルト６３の移動方向として、この仮想線Ｌに対して略等距離（図４中矢線Ｓ，Ｓ）に両ガイド片８１，８１が配置されることが好ましい。
【００４５】
このガイド片８１，８１は、耐摩耗性に優れ、滑り性の良い硬質な樹脂、例えばＰＡ−６などのナイロン樹脂を素材とし、図３，４に示すように、断面半円形とされる上下方向に湾曲面となった略蒲鉾形状に形成されている。そして湾曲した表面を、互いに対向した状態でベルトガイド用ブラケット７１の両側板７９，７９に固定される。なお、このガイド片８１，８１の両側板７９，７９への固定は、ネジ、ボルト、接着などとされ、好ましくは脱着が可能な手段とされる。各ガイド片８１，８１の対向する表面の間隔は、ベルト巻取部６５とベルトガイドローラ７７に掛かるベルト６３の幅長より、やや広くなるよう設定され取り付けられる。すなわち、ベルト６３とガイド片８１，８１とは、常時接触状態ではない。
【００４６】
なお、ベルトガイド用ブラケット７１の側板７９の下端近傍における外側部分には、図４に示すように、ベルト切断検出部８３が設けられる。このベルト切断検出部８３は、ベルトガイド用ブラケット７１の外方に突出するベルトガイドローラ７７の軸端７５ａに当接或いは連結しており、ベルト６３が切断された場合に、軸７５が落下方向へ揺動する状態を検出して、シャッター装置１００の制御部等に検知信号等を送出するようになっている。この軸７５について詳述すると、この軸７５は、ベルトガイド７１の側板７９に上下に揺動可能に軸支されており、ベルト６３が切断していない正常な状態ではベルト巻取軸６５が回転方向に付勢されてベルト６３に張力が付与されているとき上側に引き上げられる状態、すなわち側板７９の上方向に軸７５が位置する状態となっており、ベルト６３が切断してしまう異常時には、ベルト６３に付与されていた上記張力を失うこととなり、軸７５を引き上げる力がなくなる、すなわち上側位置に維持させることができず、軸７５が落下方向へ揺動するものである。
【００４７】
ベルト６３の素材としては、布製ベルトにゴムや樹脂をコーティングしたものや、細幅織物などとして構成される。特に細幅織物を素材とした構成のベルトの場合、例えば、ポリエステル繊維等を素材として形成され、柔軟性、屈曲性、強度、低伸縮性、耐摩耗性、耐薬品性、耐燃性などが良好なものとすることで、樹脂やゴムなどのコーティングが施されたベルトに比べ、摩耗などによる変形、或いは塵埃の発生がほとんどなく、また張力が大きく掛かった場合に癖がつくなどの不具合が少なく、また、滑り性も良好となる。すなわち、細幅織物よりなるベルト６３とすることで、上記したガイド片８１，８１による巻取状態の補正が行われやすくなり、このベルト６３とガイド片８１，８１との組合せで、より巻取状態が偏ることのないテンション装置を実現可能となる。
【００４８】
また、ベルト６３の素材については、上記のような素材以外に、可撓性を有し、十分な強度を備えた金属製線状体、例えばワイヤなどを繊維としてベルト状に形成する構成や、このようなワイヤなどを繊維とし、他の素材、例えば上記のような樹脂繊維とともに織り込んだものなどをベルト状に形成し、構成することとしてもよい。このような構成のベルトによれば、強度を有し、かつ真直性が良好となり、巻取状態の偏りがより減少することとなる。
【００４９】
ベルトガイド用ブラケット７１には汚損防止手段８５が設けられ、汚損防止手段８５は両側板７９，７９のシャッターカーテン対向端面７９ａからシャッターカーテン近接方向に突出する。本実施の形態において、汚損防止手段８５は、両側板７９，７９にそれぞれ設けられるが、両側板７９，７９のいずれか一方に設けられても良い。汚損防止手段８５は、シャフト２３と同方向の軸で回動自在に支持され、かつ外周円の少なくとも一部分をシャッターカーテン対向端面７９ａから突出させたローラ８９からなる。ローラ８９は、支持軸９１を介して側板７９に回動自在に取り付けられている。
【００５０】
この汚損防止手段８５が設けられることで、シャッターカーテン５の高速巻き取り時、例えば風の吹き付け等により、巻き取り中のシャッターカーテン５が厚み方向に変動し、ベルトガイド用ブラケット７１に接近する方向に変位すると、図５に示すように、シャッターカーテン５が汚損防止手段８５に接触し、両側板７９，７９との接触が阻止される。この際、シャッターカーテン５は、汚損防止手段８５であるローラ８９に当接し、シャッターカーテン５の移動に伴ってローラ８９が回転する。
【００５１】
したがって、このシャッター装置のテンション装置６１によれば、収納部７のコンパクト化を維持しつつ、シャッターカーテン５がブラケット、例えば両側板７９，７９に摺接することによる擦れ（摩擦）がなくなり、騒音や、シャッターカーテン５の汚れの付着や傷つきを抑止できる。
【００５２】
なお、汚損防止手段８５は、少なくとも両側板７９，７９の一方に設けられ、シャッターカーテン対向端面７９ａから突出した低摩擦摺接部材であってもよい。この低摩擦摺接部材としては、上記したガイド片８１と同様の材質、すなわち、耐摩耗性に優れ、滑り性の良い硬質な樹脂、例えばＰＡ−６などのナイロン樹脂を好適に用いることができる。さらに、汚損防止手段８５はガイド片８１と一体に構成することも可能である。
低摩擦摺接部材からなる汚損防止手段を備えたテンション装置によれば、シャッターカーテン５の高速巻き取り時、巻き取り中のシャッターカーテン５が厚み方向に変動し、ベルトガイド用ブラケット７１に接近する方向に変位すると、低摩擦摺接部材に当接するが、低摩擦摺接部材の滑り性により摩擦が大幅に低減され、騒音や汚れの付着や傷つきを防止できる。
【００５３】
また、テンション装置６１には、汚損防止手段８５をシャッターカーテン５に接近離反する方向に変位させる緩衝手段が、汚損防止手段８５とベルトガイド用ブラケット７１との間に亘って設けられることが好ましい。この緩衝手段としては、支持軸９１を側板７９に弾性的に支持するコイルスプリング、板バネ、弾性材料（ゴム等）を用いることができる。
緩衝手段を付設した汚損防止手段８５によれば、シャッターカーテン５の高速巻き取り時、巻き取り中のシャッターカーテン５が厚み方向に変動し、シャッターカーテン５が汚損防止手段８５へ衝接する際の衝撃が緩和され、すなわち、緩衝手段によって汚損防止手段８５が退き、シャッターカーテン５に対して圧接しないことから、騒音や汚れの付着、傷つきを一層生じ難くできる。
【００５４】
さらに、図６に示すように、汚損防止手段８５Ａは、ベルトガイドローラ７７と、このベルトガイドローラ７７の両端に形成した拡径部９３，９３とにより構成するものであってもよい。この場合、拡径部９３，９３の一部は、両側板７９，７９のシャッターカーテン対向端面７９ａからシャッターカーテン近接方向に突出する。
この変形例による汚損防止手段８５Ａによれば、シャッターカーテン５の高速巻き取り時、例えば風の吹き付け等により、巻き取り中のシャッターカーテン５が厚み方向に変動し、ベルトガイド用ブラケット７１に接近する方向に変位するとシャッターカーテン５が拡径部９３，９３に接触し、両側板７９，７９との接触が阻止される。この際、ベルトガイドローラ７７と一体の拡径部９３，９３は、シャッターカーテン５の上昇速度に略同期した周速度で回転するので、摩擦を僅かに抑えることができる。
したがって、この汚損防止手段８５Ａによれば、収納部７のコンパクト化を維持しつつ、シャッターカーテン５がブラケット、例えば両側板７９，７９に摺接することによる擦れ（摩擦）がなくなり、騒音や、シャッターカーテン５の汚れが防ぐことができ、さらに、傷つきを抑止できる。これに加え、上記のローラ８９を省略することも可能となる。
【００５５】
また、本発明の上記巻取調整機構（テンション装置）６１は、シャッターカーテン５がタル状に巻き太りが比較的起こりやすいシャッターカーテンを備えるどのようなシャッター装置にも適用することが可能であり、例えばシャッターカーテンの構造がシート状物より構成されるシートシャッター装置や、スクリーン状物より構成されるスクリーンシャッター装置、或いは、これらシート状物やスクリーン状物より構成されるオーニング装置やロールスクリーン装置など、いずれのシャッター装置においても適用が可能であり、上記効果を得ることができる。
【図面の簡単な説明】
【００５６】
【図１】本発明に係るシャッター装置の概略の構成を表す正面図である。
【図２】図１に示した巻取機構の拡大側面図である。
【図３】図２に示した巻取調整機構の拡大斜視図である。
【図４】図２に示した巻取調整機構の拡大正面図である。
【図５】巻取調整機構の作用を説明する側面図である。
【図６】汚損防止手段の変形例を表すローラの斜視図である。
【図７】従来の巻取調整機構の拡大斜視図である。
【符号の説明】
【００５７】
３…開口部
５…シャッターカーテン
５ａ…スラット
２３…シャフト
６１…巻取調整機構（テンション装置）
６３…ベルト
６５…ベルト巻取軸
６７…付勢手段（コイルバネ）
６９…平行ブラケット
７１…ベルトガイド用ブラケット
７９…側板
７９ａ…シャッターカーテン対向端面
８５…汚損防止手段
８９…ローラ
９１…軸（支持軸）
１００…シャッター装置
【図１】
2008014034.tif 000003
【図２】
2008014034.tif 000004
【図３】
2008014034.tif 000005
【図４】
2008014034.tif 000006
【図５】
2008014034.tif 000007
【図６】
2008014034.tif 000008
【図７】
2008014034.tif 000009